(57)【要約】【課題】複数の電気負荷のうちのいずれかが断線故障した際に、即時に故障した電気負荷の位置、及び交換に用いる部品の型番を認識することが可能な電気負荷の監視装置を提供する。【解決手段】各ランプ２に取り付けられ、各ランプ２の固有データが記載されたＩＣタグ４と、ランプ２に断芯が発生したことを検出する断芯検出回路５と、ランプ２に設けられた断芯検出回路５にて断芯の発生が検出された際に、このランプ２についてのＩＣタグ４に記憶されている固有データを送信する送信機６と、各ランプ２に搭載された送信機６より送信される固有データを受信する受信部８と、受信部８にて受信された固有データを管理者に報知するディスプレイ１０を備える。【選択図】      図１
2007122967.tif 000002
【特許請求の範囲】
【請求項１】
複数個配置された電気負荷の故障を監視する電気負荷の監視装置において、
前記各電気負荷に取り付けられ、該電気負荷の固有データが記載された固有データ記憶手段と、
前記電気負荷に断線故障が発生したことを検出する断線検出手段と、
前記電気負荷に設けられた断線検出手段にて断線故障の発生が検出された際に、この電気負荷についての前記固有データ記憶手段に記憶されている固有データを送信する送信手段と、
前記各電気負荷に搭載された送信手段より送信される固有データを受信する受信手段と、
前記受信手段にて受信された固有データを管理者に報知する報知手段と、
を備えたことを特徴とする電気負荷の監視装置。
【請求項２】
前記固有データは、前記電気負荷の取り付け位置に関するデータ、及び電気負荷の部品番号に関するデータを含むことを特徴とする請求項１に記載の電気負荷の監視装置。
【請求項３】
前記電気負荷はランプであり、前記断線検出手段は、前記ランプの断芯を検出することを特徴とする請求項１または請求項２のいずれかに記載の電気負荷の監視装置。
【発明の詳細な説明】
【技術分野】
【０００１】
本発明は、複数個配置されるランプ等の電気負荷の故障を総括的に監視する電気負荷の監視装置に関する。
【背景技術】
【０００２】
例えば、ホテルやパチンコ遊技ホール等には、照明用、或いはインテリア用として多数のランプ（電球、ＬＥＤ等）が設置され、電気設備室等に設置される配電盤より電源電圧が供給され、且つスイッチ操作により、点灯、消灯が制御される。
【０００３】
また、ランプは外部からの衝撃を受けたとき、或いは経年使用により断芯することがあり、このような場合には、即時に新たなものに交換する作業を行う必要がある。ところが、多数のランプが設置されているホテル、パチンコ遊技ホール等では、ホール関係者がランプの断芯に気づくのが遅れることがあり、このような場合には、ランプが断芯した状態で長時間放置されることになり、見栄えが悪いという問題が発生する。
【０００４】
従って、ランプの断芯が発生した場合には、即時にこれを検出して新たなものに交換したいという要望が高まっていた。
【０００５】
このような監視手段を備えた装置の従来例として、例えば、特開２００４−３５１０１０号公報（特許文献１）に記載されたものが知られている。該特許文献１では、複数のパチンコ機に対してそれぞれＩＣタグを設け、該ＩＣタグと総括的な制御を行う管理端末との間での通信を行い、パチンコ機に供給する電源電圧が遮断されたことが検出された際には、これを管理端末側で検知して、自動的に電源供給系統を二次電池に切り替えることにより、電源供給を継続する技術が記載されている。
【特許文献１】特開２００４−３５１０１０号公報
【発明の開示】
【発明が解決しようとする課題】
【０００６】
しかしながら、上述した特許文献１に開示された従来例は、ＩＣタグと管理端末との間の通信を行い、電源の遮断が検出され際に電源系統を切り替える制御を行うものであり、ランプ等の電気負荷の故障を検知するものではない。よって、電気負荷が遮断された際に即時にこれを検出する技術の開発が望まれていた。
【０００７】
本発明は、このような従来の課題を解決するためになされたものであり、その目的とするところは、複数の電気負荷のうちのいずれかが断線故障した際に、即時に故障した電気負荷の位置、及び交換に用いる部品の型番を認識することが可能な電気負荷の監視装置を提供することにある。
【課題を解決するための手段】
【０００８】
上記目的を達成するため、本願請求項１に記載の発明は、複数個配置された電気負荷の故障を監視する電気負荷の監視装置において、前記各電気負荷に取り付けられ、該電気負荷の固有データが記載された固有データ記憶手段と、前記電気負荷に断線故障が発生したことを検出する断線検出手段と、前記電気負荷に設けられた断線検出手段にて断線故障の発生が検出された際に、この電気負荷についての前記固有データ記憶手段に記憶されている固有データを送信する送信手段と、前記各電気負荷に搭載された送信手段より送信される固有データを受信する受信手段と、前記受信手段にて受信された固有データを管理者に報知する報知手段と、を備えたことを特徴とする。
【０００９】
請求項１の発明では、複数個配置された電気負荷に断線故障が発生し、該電気負荷が動作しなくなった場合には、断線検出手段によりこの電気負荷の断線が検出され、固有データ記憶手段に記憶されている固有データが送信される。そして、制御室等に設けられる受信手段にて固有データが受信され、且つ、この固有データが報知手段にて管理者に通知される。従って、管理者は、故障を引き起こしている電気負荷を即時に特定することができ、部品の交換作業に取りかかることができるので、電気負荷が長期間継続して故障するという不具合の発生を回避することができる。
【００１０】
請求項２に記載の発明は、前記固有データは、前記電気負荷の取り付け位置に関するデータ、及び電気負荷の部品番号に関するデータを含むことを特徴とする。
【００１１】
請求項２の発明では、ＩＣタグに記憶される固有データに、電気負荷の取り付け位置に関するデータ、及び電気負荷の部品番号に関するデータが含まれるので、管理者は電気負荷に故障が発生した場合に、即時にこれを把握できると共に、どの場所に取り付けられている電気負荷であるか、及びどの部品番号の電気負荷が故障したかを知ることができるので、電気負荷の交換作業を円滑に行うことができる。
【００１２】
請求項３に記載の発明は、前記電気負荷はランプであり、前記断線検出手段は、前記ランプの断芯を検出することを特徴とする。
【００１３】
請求項３の発明では、ランプ（電球やＬＥＤ等）の断芯が検出された際に、これを即時に検知することができるので、多数のランプを備えるホテル、或いはパチンコ遊技ホール等で照明用或いはインテリア用として用いられるランプの断芯にいち早く気づき、交換作業を行うことができ、ランプが消えているという見栄えの悪い状態を即時に回避することができる。
【発明の効果】
【００１４】
本発明に係る電気負荷の監視装置では、電気負荷に断線故障が発生した場合に、即時に故障の発生を検出することができるので、電気負荷の故障が長期間継続されるという不具合を解消することができる。
【発明を実施するための最良の形態】
【００１５】
以下、本発明の実施形態を図面に基づいて説明する。図１は、本発明の一実施形態に係る電気負荷の監視装置の構成を示す回路図、図２は制御器３の詳細構成を示すブロック図である。各図に示すようにこの監視装置１は、パチンコ遊技ホール等に設置される複数のランプ（電気負荷）２にそれぞれ取り付けられ、ＩＣタグ（固有データ記憶手段）４、断芯検出回路（断線検出手段）５及び送信機（送信手段）６を備えた制御器３と、各制御器３の送信機６より送信されるデータを受信し、受信したデータを管理者に報知する処理を行う中央制御装置７とを備えている。
【００１６】
ＩＣタグ４は、各ランプ２の固有データ、例えばランプ２の取り付け位置、ランプ２の型番等のデータを記憶する。
【００１７】
断芯検出回路５は、ランプ２の２つの端子間に流れる電流、或いは２つの端子間に生じる電圧を測定する等の方法によりランプ２の断芯を検知し、断芯が検知された際に送信機６に対して、ＩＣタグ４に記憶されているデータの送信指令信号を出力する。
【００１８】
送信機６は、断芯検出回路５でランプ２の断芯が検知され、断芯検出回路５より送信指令信号が与えられた際に、ＩＣタグ４に記憶されているランプ２の固有データを送信する。
【００１９】
また、各ランプ２は、スイッチＳＷ１、ブレーカＮＦＢ１を介して電源Ｅに接続されており、スイッチＳＷ１がオンとされたときに、各ランプ２が点灯するようになっている。
【００２０】
中央制御装置７は、予め決められた所定の時間間隔で、送信機６より送信されるデータを受信する受信部（受信手段）８と、該受信部８で受信されたデータに基づいて、断芯したランプ２の取り付け位置、及びランプ２の型番を特定する処理を含む総括的な処理を行う制御部９と、該制御部９で特定されたランプ２の取り付け位置、及びランプ２の型番を表示するディスプレイ（報知手段）１０と、を備えている。
【００２１】
次に、上記のように構成された本実施形態に係る電気負荷の監視装置の動作を、図３、図４に示すフローチャートを参照して説明する。図２は、各ランプ２に取り付けられた制御器３による処理動作を示すフローチャートであり、図３は、中央制御装置７による処理動作を示すフローチャートである。
【００２２】
図３に示すように、まず、各ランプ２に設けられた断芯検出回路５は、ランプ２に断芯が発生しているか否かを検出する（ステップＳ１）。断芯の検出方法としては、ランプ２の２つの入力端子間の電圧変化、或いはランプ２に流れる電流の変化を測定することにより行うことができる。
【００２３】
断芯検出回路５によりランプ２の断芯が検出された際には、断芯検出信号をＩＣタグ４及び送信機６に出力する。これにより、ＩＣタグ４に記憶されているランプ２の取り付け位置データ、及びランプ２の型番データ等の固有データが送信機６にて読み取られ（ステップＳ２）、該送信機６よりこれらの固有データが送信される（ステップＳ３）。
【００２４】
他方、図４に示すように、中央制御装置７の受信部８では、所定の時間間隔で各制御器３より送信される各ランプ２についての固有データを受信する処理を行う（ステップＳ１１）。
【００２５】
そして、固有データが受信された際には（ステップＳ１２でＹＥＳ）、制御部９は、この固有データの送信元となる制御器３に付帯するランプ２に断芯が発生しているものと判断し、この固有データに基づいて断芯が発生したランプ２の取り付け位置、及びランプ２の型番を特定する（ステップＳ１３）。
【００２６】
そして、制御部９は、ランプ２の取り付け位置、及びランプ２の型番をディスプレイ１０に表示する処理を行う（ステップＳ１４）。
【００２７】
こうして、ディスプレイ１０に断芯が発生しているランプ２の取り付け位置、及び型番がディスプレイ１０に表示されるので、管理者はディスプレイ表示を見ることにより、即時に断芯が発生したランプ２の位置及び交換するべきランプ２の型番を知ることができる。
【００２８】
このようにして、本実施形態に係る電気負荷の監視装置１では、各ランプ２に制御器３を取り付け、ランプ２に断芯が発生した場合には、ＩＣタグ４に記憶されているランプ２の取り付け位置のデータ、及びランプ２の型番のデータを中央制御装置７に送信するので、中央制御装置７では、多数設けられているランプ２のうちで、断芯が発生しているランプ２の位置、及び型番をいち早く管理者に報知することができ、管理者は即時に断芯したランプ２の交換作業に取りかかることができる。
【００２９】
従って、ランプ２が断芯した際に、断芯した状態が長時間継続され、見栄えが悪い状況が継続されるという従来の欠点を解消することができる。
【００３０】
以上、本発明の電気負荷の監視装置を図示の実施形態に基づいて説明したが、本発明はこれに限定されるものではなく、各部の構成は、同様の機能を有する任意の構成のものに置き換えることができる。
【００３１】
例えば、上記した実施形態では、電気負荷としてランプを例に挙げて説明したが、本発明はこれに限定されるものではなく、モータ等各種の電気負荷の断線を検出する用途に用いることができる。
【００３２】
また、上記した実施形態では、ＩＣタグ４に記憶する固有データとして、ランプ２の取り付け位置に関するデータ、及びランプ２の型番に関するデータを送信する場合を例に挙げて説明したが、本発明はこれに限定されるものではなく、その他の固有データをＩＣタグ４に記憶し、送信する構成とすることも可能である。
【００３３】
更に、上記した実施形態では、ランプ２に断芯が発生した場合には、これをディスプレイ１０に表示して管理者に通知する構成としたが、本発明はこれに限定されるものではなく、ブザー（報知手段）等を用いて音により断芯の発生を管理者に報知するように構成することも可能である。
【産業上の利用可能性】
【００３４】
多数のランプを設けたホテル、遊技ホール等において、ランプの断芯をいち早く検出し、新たなものに交換する上で極めて有用である。
【図面の簡単な説明】
【００３５】
【図１】本発明の一実施形態に係る電気負荷の監視装置の構成を示す回路図である。
【図２】制御器３の詳細な構成を示すブロック図である。
【図３】制御器３における処理動作を示すフローチャートである。
【図４】中央制御装置７における処理動作を示すフローチャートである。
【符号の説明】
【００３６】
１  監視装置
２  ランプ（電気負荷）
３  制御器
４  ＩＣタグ（固有データ記憶手段）
５  断芯検出回路（断線検出手段）
６  送信機（送信手段）
７  中央制御装置
８  受信部（受信手段）
９  制御部
１０  ディスプレイ（報知手段）
ＳＷ１  スイッチ
ＮＦＢ  ブレーカ
Ｅ  電源
【図１】
2007122967.tif 000003
【図２】
2007122967.tif 000004
【図３】
2007122967.tif 000005
【図４】
2007122967.tif 000006